(57)【要約】【課題】灌水パイプを容易かつ確実に収納できるとともに、灌水パイプを容易に配管することが可能な保水性床材および保水性床材の配置構造を提供することを目的とする。【解決手段】保水性能および透水性能を有する本体ブロック１０を備えており、本体ブロック１０の上部に、灌水パイプ２０が収納される配管溝部１１を、この本体ブロック１０の一側面から他側面に向かって形成する。これにより、配管溝部は、本体ブロックの上部において配管溝部の延在方向および上方に向かって開放された状態となり、灌水パイプを、配管溝部に、容易かつ確実に収納することができる。また、灌水パイプを配管する際は、バルコニーや屋上等の床面に保水性床材を並べ終わった後に、配管溝部に沿って灌水パイプを配置するだけで済むため、灌水パイプを容易に配管することが可能となる。【選択図】図１
2012246689.tif 000002
【特許請求の範囲】
【請求項１】
バルコニーや屋上等の床面に配置される保水性床材において、
保水性能および透水性能を有する本体ブロックを備えており、
前記本体ブロックの上部には、灌水パイプが収納される配管溝部が、この本体ブロックの一側面から他側面に向かって形成されていることを特徴とする保水性床材。
【請求項２】
請求項１に記載の保水性床材において、
前記配管溝部の幅および深さは、前記灌水パイプの直径と略等しくなるように設定されていることを特徴とする保水性床材。
【請求項３】
請求項１または２に記載の保水性床材において、
前記配管溝部は直線状または曲線状に形成されていることを特徴とする保水性床材。
【請求項４】
請求項１〜３のいずれか一項に記載の保水性床材において、
上部が開口するとともに前記本体ブロックが収納されるトレーを備えており、
前記トレーは、底板部と、この底板部の周縁部から立ち上がる側板部とを有しており、
前記側板部には、前記本体ブロックの配管溝部に対応する切欠部が形成されていることを特徴とする保水性床材。
【請求項５】
バルコニーや屋上等の床面に、請求項１〜４のいずれか一項に記載の保水性床材を複数配置してなる保水性床材の配置構造であって、
前記複数の保水性床材は、これら複数の保水性床材の本体ブロックに形成された配管溝部同士を接続するようにして並設されていることを特徴とする保水性床材の配置構造。
【発明の詳細な説明】
【技術分野】
【０００１】
本発明は、バルコニーや屋上等の床面に配置される保水性床材、保水性床材の配置構造に関する。
【背景技術】
【０００２】
従来、ヒートアイランド現象の抑制を目的として、屋上緑化や壁面緑化等を始め、建物の温度上昇を防止するための様々な技術が開発されている。
特許文献１には、保水性能および透水性能を有するポーラスコンクリートにより形成されたブロックについて記載されている。このようなブロックを屋上に敷き詰め、保水させることにより、建物の温度上昇を抑制することが可能となっている。また、このブロックには、多数の小穴をあけた合成樹脂製の灌水パイプが埋設されており、この灌水パイプからブロックに水を供給できるようになっている。
【先行技術文献】
【特許文献】
【０００３】
【特許文献１】特開２００５−０９７８８４号公報
【発明の概要】
【発明が解決しようとする課題】
【０００４】
ところで、灌水パイプが埋設されたブロックを床材として、バルコニーや屋上等の床面に敷き詰めるに際し、例えば隣接するブロック同士の灌水パイプを接続したい場合には、埋設された灌水パイプの向き等を考慮しながらブロックを並べなければならないため手間である。
そこで、ブロックを並べ終わった後に灌水パイプを配管したいという要望がある。
ところが、ブロックを並べ終わった後に、このブロック内に灌水パイプを埋設することは極めて困難である。また、隣り合うブロック間に配管スペースを空けて、この配管スペース内に灌水パイプを配管するには、配管スペース分の隙間を考慮してブロックの設計や施工を行わなければならないため手間である。また、敷き詰められたブロック表面に灌水パイプを張り巡らせてしまうと、見映えの問題だけでなく、灌水パイプが転倒の原因ともなり得るため好ましくない。
【０００５】
本発明の課題は、灌水パイプを容易かつ確実に収納できるとともに、灌水パイプを容易に配管することが可能な保水性床材および保水性床材の配置構造を提供することを目的とする。
【課題を解決するための手段】
【０００６】
請求項１に記載の発明は、例えば図１〜図１１に示すように、バルコニーや屋上等の床面Ｆに配置される保水性床材において、
保水性能および透水性能を有する本体ブロック１０（１０Ａ，１０Ｂ，１０Ｃ）を備えており、
前記本体ブロック１０（１０Ａ，１０Ｂ，１０Ｃ）の上部には、灌水パイプ２０が収納される配管溝部１１（１１Ａ，１１Ｂ，１１Ｃ），１２が、この本体ブロック１０（１０Ａ，１０Ｂ，１０Ｃ）の一側面から他側面に向かって形成されていることを特徴とする。
【０００７】
なお、前記本体ブロック１０（１０Ａ，１０Ｂ，１０Ｃ）としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリート１０ａを固めたものが挙げられる。
また、この他に、アスファルトを骨材同士の結合材として用いて固めたものも挙げられる。すなわち、保水性能および透水性能を有する本体ブロックを備える保水性アスファルト床材となり、舗装材等として用いることができる。
【０００８】
請求項１に記載の発明によれば、前記本体ブロック１０（１０Ａ，１０Ｂ，１０Ｃ）の上部には、前記配管溝部１１（１１Ａ，１１Ｂ，１１Ｃ），１２が、この本体ブロック１０（１０Ａ，１０Ｂ，１０Ｃ）の一側面から他側面に向かって形成されているので、この配管溝部１１（１１Ａ，１１Ｂ，１１Ｃ），１２は、前記本体ブロック１０（１０Ａ，１０Ｂ，１０Ｃ）の上部において配管溝部１１（１１Ａ，１１Ｂ，１１Ｃ），１２の延在方向および上方に向かって開放された状態となる。これによって、前記灌水パイプ２０を、前記配管溝部１１（１１Ａ，１１Ｂ，１１Ｃ），１２に対して、上方から下方に差し入れるだけで容易かつ確実に収納することができる。
また、前記灌水パイプ２０を配管する際は、バルコニーや屋上等の床面Ｆに保水性床材を並べ終わった後に、前記配管溝部１１（１１Ａ，１１Ｂ，１１Ｃ），１２に沿って灌水パイプ２０を配置するだけで済む。これによって、従来とは異なり、例えば本体ブロック１０（１０Ａ，１０Ｂ，１０Ｃ）内に灌水パイプ２０を埋設したり、隣り合う保水性床材間に配管スペースを設けたり、敷き詰められた保水性床材の表面に灌水パイプ２０を張り巡らせる必要がなくなるので、前記灌水パイプ２０を容易に配管することが可能となる。
【０００９】
請求項２に記載の発明は、例えば図１〜図３，図６，図８，図９，図１１に示すように、請求項１に記載の保水性床材において、
前記配管溝部１１（１１Ｂ），１２の幅および深さは、前記灌水パイプ２０の直径と略等しくなるように設定されていることを特徴とする。
【００１０】
請求項２に記載の発明によれば、前記配管溝部１１（１１Ｂ，１１Ｃ），１２の幅および深さは、前記灌水パイプ２０の直径と略等しくなるように設定されているので、前記灌水パイプ２０を、前記配管溝部１１（１１Ｂ，１１Ｃ），１２に対して、より確実に収納することができる。
【００１１】
請求項３に記載の発明は、例えば図１〜図６，図８〜図１１に示すように、請求項１または２に記載の保水性床材において、
前記配管溝部１１（１１Ａ，１１Ｂ，１１Ｃ），１２は直線状または曲線状に形成されていることを特徴とする。
【００１２】
請求項３に記載の発明によれば、前記配管溝部１１（１１Ａ，１１Ｂ，１１Ｃ），１２は直線状または曲線状に形成されているので、前記灌水パイプ２０を、この配管溝部１１（１１Ａ，１１Ｂ，１１Ｃ），１２に沿って直線状または曲線状に配管することができる。すなわち、保水性床材を直線状に配置するだけでなく、例えば曲線状やジグザグ状に配置したとしても、これに対応して前記灌水パイプ２０を配管することができる。これによって、保水性床材を直線状以外の形態でバルコニーや屋上等の床面Ｆに配置した場合であっても、前記灌水パイプ２０を容易に配管することができる。
【００１３】
請求項４に記載の発明は、例えば図２〜図６，図８〜図１１に示すように、請求項１〜３のいずれか一項に記載の保水性床材において、
上部が開口するとともに前記本体ブロック１０（１０Ａ，１０Ｂ）が収納されるトレー３０を備えており、
前記トレー３０は、底板部３１と、この底板部３１の周縁部から立ち上がる側板部３２とを有しており、
前記側板部３２には、前記本体ブロック１０（１０Ａ，１０Ｂ）の配管溝部１１（１１Ａ，１１Ｂ），１２に対応する切欠部３３，３３が形成されていることを特徴とする。
【００１４】
請求項４に記載の発明によれば、前記トレー３０内に、前記本体ブロック１０（１０Ａ，１０Ｂ）を収納することができるので、この本体ブロック１０（１０Ａ，１０Ｂ）を、単独では強度を維持できない薄さにしたとしても、この本体ブロック１０（１０Ａ，１０Ｂ）の強度が低下することを確実に防ぐことができる。これによって、本体ブロック１０（１０Ａ，１０Ｂ）の薄型化および保水性床材自体の軽量化に貢献できる。
また、前記トレー３０の側板部３２に、前記本体ブロック１０（１０Ａ，１０Ｂ）の配管溝部１１（１１Ａ，１１Ｂ），１２に対応する切欠部３３，３３が形成されているので、前記本体ブロック１０（１０Ａ，１０Ｂ）をトレー３０内に収納しても、前記灌水パイプ２０を確実に収納することができる。
さらに、前記トレー３０のうち、前記切欠部３３，３３の下縁よりも下方の水は、トレー３０内に貯留されることになり、前記切欠部３３の下縁よりも上方の水は、余剰水として、切欠部３３，３３から外部に排出されることになる。これによって、前記トレー３０内は満水になることが無くなるので、例えば雑菌や虫の繁殖等、トレー３０内の水が過剰である場合に発生しやすい諸問題が発生し難くなる。
【００１５】
請求項５に記載の発明は、例えば図６，図８〜図１１に示すように、バルコニーや屋上等の床面Ｆに、請求項１〜４のいずれか一項に記載の保水性床材を複数配置してなる保水性床材の配置構造であって、
前記複数の保水性床材は、これら複数の保水性床材の本体ブロック１０（１０Ａ，１０Ｂ，１０Ｃ）に形成された配管溝部１１（１１Ａ，１１Ｂ，１１Ｃ），１２同士を接続するようにして並設されていることを特徴とする。
【００１６】
請求項５に記載の発明によれば、前記複数の保水性床材は、これら複数の保水性床材の本体ブロック１０（１０Ａ，１０Ｂ，１０Ｃ）に形成された配管溝部１１（１１Ａ，１１Ｂ，１１Ｃ），１２同士を接続するようにして並設されているので、前記複数の保水性床材を並設する同時に、前記配管溝部１１（１１Ａ，１１Ｂ，１１Ｃ），１２同士を接続できる。これによって、複数の配管溝部１１（１１Ａ，１１Ｂ，１１Ｃ），１２からなる灌水パイプ２０配管の用の溝を、前記複数の保水性床材の並設方向に沿って長尺なものにすることができる。したがって、バルコニーや屋上等の床面Ｆに保水性床材を並べ終わった後に、前記灌水パイプ２０をより容易に配管することが可能となる。
【発明の効果】
【００１７】
本発明によれば、保水性床材の本体ブロックの上部には、配管溝部が、この本体ブロックの一側面から他側面に向かって形成されているので、この配管溝部は、本体ブロックの上部において配管溝部の延在方向および上方に向かって開放された状態となる。これによって、灌水パイプを、配管溝部に対して、上方から下方に差し入れるだけで容易かつ確実に収納することができる。
また、灌水パイプを配管する際は、バルコニーや屋上等の床面に保水性床材を並べ終わった後に、配管溝部に沿って灌水パイプを配置するだけで済む。これによって、従来とは異なり、例えば本体ブロック内に灌水パイプを埋設したり、隣り合う保水性床材間に配管スペースを設けたり、敷き詰められた保水性床材の表面に灌水パイプを張り巡らせる必要がなくなるので、灌水パイプを容易に配管することが可能となる。
【図面の簡単な説明】
【００１８】
【図１】保水性床材の一例を示す斜視図である。
【図２】保水性床材の一例を示す斜視図である。
【図３】曲線状の配管溝部の一例を示す平面図である。
【図４】トレーの一例を示す斜視図である。
【図５】図２に示す保水性床材を製造する態様を示す斜視図である。
【図６】図２に示す保水性床材の配置構造を示す斜視図である
【図７】貯水タンクを示す断面図である。
【図８】並設された複数の保水性床材の上面にセラミックタイルを設けるとともに植物を植栽する形態を示す断面図である。
【図９】並設された複数の保水性床材に給水した状態を示す断面図である。
【図１０】配管溝部の他の一例を示す側面図である。
【図１１】配管溝部の他の一例を示す斜視図である。
【図１２】保水性床材を製造する態様の他の一例を示す断面図である。
【図１３】保水性床材の一例を示す斜視図である。
【図１４】図１３に示す保水性床材を製造する態様を示す斜視図である。
【発明を実施するための形態】
【００１９】
以下、図面を参照して本発明の実施の形態について説明する。
【００２０】
＜第１の実施の形態＞
図１および図２は本発明に係る保水性床材の一例を示す斜視図である。この保水性床材は、例えばバルコニーや屋上等の床面Ｆに複数並設して配置される。
図１および図２において符号１０は、本体ブロックを示す。この本体ブロック１０は、保水性能および透水性能を有しており、水が蒸発する際に周囲の熱を奪いながら蒸発する性質を利用して、この本体ブロック１０が設置される場所の周囲の温度上昇を抑制したり、温度低下を促したりすることを目的とするものである。
より詳細には、本体ブロック１０に浸透して保持された水が蒸発する際に、この本体ブロック１０の周囲の熱を奪いながら蒸発する。したがって、本体ブロック１０を備える保水性床材をバルコニーや屋上等の床面Ｆに対して広域に配置することによって、バルコニーや屋上の温度の上昇を広い範囲で抑制したり、温度を広い範囲で低下させたりできる、というものである。
図２に示す保水性床材は、本体ブロック１０をトレー３０に収納し、本体ブロック１０の薄型化と、保水性床材自体の軽量化を図ったものである。
【００２１】
また、本体ブロック１０は、平面視において四角形であり、かつ平板状に形成されている。本体ブロック１０の上部には、図１〜図３に示すように、円筒状の灌水パイプ２０が収納される配管溝部１１，１２が、この本体ブロック１０の一側面から他側面に向かって形成されている。
なお、この本体ブロック１０は、透水性能を有するとともに平板状に形成されていることから、上述のように保水性能を有しつつも水が必要以上に溜まらず、比較的短い期間で水を蒸発させることができる。このため、例えば夏場や梅雨時における雑菌や虫の繁殖等の問題が発生し難くなる。
【００２２】
また、本体ブロック１０は、上述のように平面視において四角形であり、かつ平板状に形成されていることから、上面と、底面と、これら上面と底面との間における四方の側面とを備えるように概略構成されている。四方の側面のうち、一つの側面を本体ブロック１０の一側面と称し、この一つの側面とは異なる他の側面を本体ブロック１０の他側面と称する。
すなわち、配管溝部１１，１２は、本体ブロック１０の上面側と底面側のうち、上部である上面側において、一つの側面から、この一つの側面とは異なる他の側面に向かって形成されている。
【００２３】
また、配管溝部１１，１２は、図８に示すように、断面視において四角溝となるように形成されている。すなわち、溝の底となる底部と、溝の壁となり、かつ、底部の両側縁から本体ブロック１０の上面まで立ち上がる溝壁部とからなる。
このように四角溝となるように形成された配管溝部１１，１２の幅および深さは、灌水パイプ２０の直径と略等しくなるように設定されている。つまり、灌水パイプ２０を、配管溝部１１，１２にぴったりに差し入れることができる。
【００２４】
なお、本実施の形態では配管溝部１１，１２を四角溝となるように形成したが、これに限られるものではなく、例えば図１０に示すように断面視において三角溝となるように形成しても良いものとする。
図１０に示す配管溝部１１Ａは、本体ブロック１０Ａの上面を三角形状に切り欠くようにして形成されたものである。
この配管溝部１１Ａは三角溝であるため、その幅および深さは、円筒状の灌水パイプ２０の直径よりも長くなるように設定されている。
【００２５】
また、前記配管溝部１１，１２は直線状または曲線状に形成されており、灌水パイプ２０を、この配管溝部１１，１２に沿って直線状または曲線状に配管できるようになっている。すなわち、保水性床材を直線状に配置するだけでなく、例えば曲線状やジグザグ状に配置したとしても、これに対応して灌水パイプ２０を配管することができる。
図１および図２に示す配管溝部１１は直線状に形成されたものであり、図３に示す配管溝部１２は曲線状に形成されたものである。
【００２６】
配管溝部１１は、本体ブロック１０の一側面から、この一側面とは正反対に位置する他側面に向かって形成されている。
また、この配管溝部１１は、本体ブロック１０上面の中央部を通過するとともに、前記一側面および他側面に対して傾斜しないように形成されている。
【００２７】
配管溝部１２は、本体ブロック１０の一側面から、この一側面に直交して設けられる側面に向かって形成されている。
また、この配管溝部１２は、本体ブロック１０上面の中央部で屈曲するとともに、前記一側面および他側面に対して傾斜しないように形成されている。
なお、本実施の形態においては、この曲線状の配管溝部１２には、Ｌ型のジョイント部材２３を用いて屈曲形成された灌水パイプ２０が収納されている。
【００２８】
なお、本実施の形態において配管溝部１１，１２は、本体ブロック１０の中央部を通過するものとしたが、これに限られるものではなく、例えば図１１に示すように、端部を通過するものとしても良い。
図１１に示す配管溝部１１Ｂは、本体ブロック１０Ｂの端部を切り欠くようにして形成されたものである。このような配管溝部１１Ｂに灌水パイプ２０を収納するためには、本体ブロック１０Ｂの配管溝部１１Ｂが形成された端部と、この本体ブロック１０Ｂに隣接する他の本体ブロック１０Ｂの配管溝部１１Ｂが形成されない端部とを当接させる。これによって、灌水パイプ２０を収納可能な配管溝部１１Ｂとすることができる。
【００２９】
また、直線状の配管溝部としては、以上に限られるものではなく、例えば、直線状の配管溝部を、本体ブロック１０の一側面および他側面に対して傾斜するように形成しても良いし、複数の直線状の配管溝部を、互いに交差するように形成しても良い。
【００３０】
また、曲線状の配管溝部としては、本実施の形態では略Ｌ型に屈曲した形態のものを採用したが、これに限られるものではなく、例えば、より緩やかな円弧型に屈曲する配管溝部としても良いし、略Ｔ型に屈曲する配管溝部としても良い。
また、曲線状の配管溝部を複数用いて、互いに交差するように形成したものを採用しても良い。
さらに、曲線状であるから、当然、本体ブロック１０の一側面および他側面に対して傾斜するように形成したものであっても良い。
【００３１】
本体ブロック１０の四方の側面のうち、前記配管溝部１１，１２が形成されない側面には、図１に示すように、凹部１０ｂおよび凸部１０ｃが設けられている。これによって、複数の本体ブロック１０…を隣り合わせて並べる際に、互いに隣り合う本体ブロック１０，１０のうち、一方の本体ブロック１０の凸部１０ｃが、他方の本体ブロック１０の凹部１０ｂに嵌合可能となる。
これら凹部１０ｂおよび凸部１０ｃは、複数のトレー３０…を並設する際の位置決めとして用いることができる。
なお、配管溝部１１，１２自体も、隣り合う本体ブロック１０，１０同士の位置決め手段の一つとして用いることができるため、配管溝部１１，１２が形成される部分と、これら凹部１０ｂおよび凸部１０ｃが形成される部分とが重複する際は、配管溝部１１，１２が優先して形成される。
【００３２】
本実施の形態の本体ブロック１０としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリート１０ａを型枠に入れて固めたものが挙げられる。なお、軽石は産地により乾燥比重が多少ばらつくが、大きな相違はない。
【００３３】
また、配合比を容積で表すと、軽石（乾燥比重が０．４）７０〜８５容積％と、ポルトランドセメント３０〜１５容積％との配合物に対して水２０〜３０容積％を散布して混練するものである。
さらに、このように軽石を骨材とするコンクリート１０ａの含水比重は、セメントと砕石等の天然骨材とポルトランドセメントのみを使用したコンクリートの約６０％であり、乾燥比重は、約５０％である。
【００３４】
保水性能については、軽石を骨材として使用した本体ブロック１０の含水比重は約１２００ｋｇ／ｍ２であり、およそ３００ｋｇ／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とする本体ブロック１０を、例えば舗装面の舗装材として用いた場合、例えば本体ブロック１０を５０ｍｍの厚みで舗装すると、含水重量は６０ｋｇ／ｍ２であり、乾燥比重は４５ｋｇ／ｍ２であるから１５リットルの水を保水することが可能となり、優れた性能を有している。
【００３５】
なお、固化する前の状態である生コンクリート１０ａは適当な粘度を有しており、固化した後の状態である本体ブロック１０は、骨材同士の間に、連続する隙間を有する状態となっている。
また、この本体ブロック１０は、打設される型枠（または、トレー３０）の内側面に象られたような形状となっている。
また、本体ブロック１０は、上部が下部よりもオーバーハングするように形成されており、複数の本体ブロック１０…を並べることによって、隣り合う本体ブロック１０，１０間に空洞を形成できる。このような空洞は外部から視認しにくいという利点があるため、この空洞に補助用の灌水パイプ（図示せず）等を配設し、本体ブロック１０の下部からも給水できるようにしても良い。
【００３６】
前記灌水パイプ２０は、図９に示すように、多数の小穴２０ａ…をあけた合成樹脂製のものが用いられているが、これに限られるものではない。例えば多数の小穴が形成されるとともに可撓性を有するホース状のものでも良い。なお、小穴２０ａの数は適宜変更可能である。
また、灌水パイプ２０の末端には、図１および図２に示すように、この灌水パイプ２０の孔を塞ぐためのキャップ２１が設けられるようになっている。
【００３７】
また、この灌水パイプ２０は、図６に示すように、貯水タンク１や給水設備５等の給水手段に接続されている。
なお、この灌水パイプ２０と給水手段とを接続するものとして、給水用の小穴が形成されない接続パイプ２２が用いられている。また、灌水パイプ２０と接続パイプ２２とのジョイントや、灌水パイプ２０同士のジョイント、接続パイプ２２同士のジョイントには、Ｌ型のジョイント部材２３やＴ型のジョイント部材２４、その他、図示しない複数に枝分かれしたジョイント部材を用いている。
【００３８】
なお、保水性床材としては、以上のような本体ブロック１０のみで構成することができる。すなわち、本体ブロック１０を保水性床材として、バルコニーや屋上等の床面Ｆに複数並設して配置することができ、配管溝部１１，１２に収納される灌水パイプ２０から水を供給することによって、建物の温度上昇を防止できるようになっている。
【００３９】
前記トレー３０は、上部が開口するとともに本体ブロック１０が収納されるものであり、図４に示すように、底板部３１と、この底板部３１の周縁部から立ち上がる側板部３２とを備えている。
また、このトレー３０は、平面視正方形状に形成されているが、これに限られるものではない。すなわち、例えば長方形・平行四辺形・菱形等のような四角形状であれば、複数の保水性床材同士を並べやすくなるという利点があるため好ましい。さらに、このような四角形状に限られず、複数の保水性床材同士を並べやすい形状であれば、どのような形状でもよいものとする。
なお、本実施の形態において、トレー３０は樹脂製とされている。
【００４０】
底板部３１は、平面視において正方形状に形成されている。
側板部３２は、底板部３１の四方の縁部から斜め上方に立ち上がる傾斜部３４と、この傾斜部３４の上端部から水平方向外側に延出する水平部３５と、この水平部３５の延出端部から上方に立ち上がる立ち上がり部３６とを有している。
すなわち、トレー３０は、上部が下部よりもオーバーハングするように形成されており、このトレー３０に収納される本体ブロック１０も同様に、上部が下部よりもオーバーハングした状態となる。
【００４１】
側板部３２には、本体ブロック１０の配管溝部１１，１２に対応する切欠部３３，３３が形成されている。
すなわち、これら切欠部３３，３３は、側板部３２に対して、本体ブロック１０の一側面と他側面に位置する配管溝部１１，１２の両端部の位置に対応するとともに、配管溝部１１，１２の溝幅および溝深さと略等しくなるように切欠形成されている。
したがって、本体ブロック１０が収納されたトレー３０であっても、灌水パイプ２０を確実に収納できるようになっている。
【００４２】
また、切欠部３３，３３も、前記配管溝部１１，１２と同様に、その切欠幅および切欠深さが、灌水パイプ２０と略等しくなるように設定されている。
なお、本実施の形態においては、切欠部３３，３３は、側板部３２の二つの側面において、傾斜部３４と水平部３５と立ち上がり部３６とを切り欠くことによって形成されている。
【００４３】
また、側板部３２の立ち上がり部３６には、図１〜図４に示すように、凹部３７および凸部３８が設けられている。これによって、複数のトレー３０…を隣り合わせて並べる際に、互いに隣り合うトレー３０，３０のうち、一方のトレー３０の凸部３８が、他方のトレー３０の凹部３７に嵌合可能となる。
これら凹部３７および凸部３８は、複数のトレー３０…を並設する際の位置決めとして用いることができる。
なお、配管溝部１１，１２および切欠部３３，３３自体も、隣り合うトレー３０，３０同士の位置決め手段の一つとして用いることができるため、配管溝部１１，１２および切欠部３３，３３が形成される部分と、これら凹部３７および凸部３８が形成される部分とが重複する際は、配管溝部１１，１２および切欠部３３，３３が優先して形成される。
【００４４】
次に、トレー３０内に本体ブロック１０が収納された保水性床材を製造する方法について説明する。
【００４５】
まず、トレー３０の切欠部３３，３３間に、図５に示すように、配管溝部１１を形成するための押し型部材３９を架設する。
なお、この押し型部材３９は、配管溝部１１を成形するための型であり、配管溝部１１と相反する形状に形成されている。すなわち、四角溝である直線状の配管溝部１１を形成する際は四角柱状に形成されている。また、この押し型部材３９は、少なくとも切欠部３３，３３間に架設可能な長さと、切欠部３３，３３の切欠幅と略等しい幅と、少なくとも切欠部３３，３３の切欠深さと略等しい高さに設定されている。
【００４６】
その後、軽石とポルトランドセメントとの配合物に、水を散布して混練した状態の適当な粘度を有する生コンクリート１０ａを、押し型部材３９が架設されたトレー３０に打設し、固化させる。
生コンクリート１０ａが固化し、ブロック（本体ブロック１０）となったら、押し型部材３９を取り外す。
以上のようにして、トレー３０内に本体ブロック１０が収納された保水性床材を製造できる。
【００４７】
次に、本体ブロック１０で構成される保水性床材を製造する方法について説明する。
【００４８】
まず、本体ブロック１０は、材料である生コンクリート１０ａが打設される型枠の内側面に象られたような形状となるため、完成後の保水性床材の形状を考慮した型枠を用意する。
ここでは、前記トレー３０と同様の形状の型枠を用いるものとし、図示を省略するが、この型枠は前記トレー３０とは異なり、樹脂製に限られるものではなく、例えば金属製や木製等、その他の材質のものでもよい。
この型枠は、平面視正方形状の底板部と、この底板部の周縁部から立ち上がる側板部とを備えている。また、側板部は、傾斜部と、水平部と、立ち上がり部とを有しており、上部が下部よりもオーバーハングするように形成されている。また、立ち上がり部には、凹部および凸部が形成されている。
さらに、側板部には、本体ブロックの配管溝部に対応する切欠部が形成されている。
【００４９】
続いて、型枠の切欠部間に、配管溝部１１を形成するための押し型部材を架設する。
その後、軽石とポルトランドセメントとの配合物に、水を散布して混練した状態の適当な粘度を有する生コンクリート１０ａを、押し型部材が架設された型枠に打設し、固化させる。
生コンクリート１０ａが固化し、ブロック（本体ブロック１０）となったら、まず、押し型部材を取り外す。そして、型枠を、固化した状態の本体ブロック１０から取り外す。
以上のようにして、本体ブロック１０で構成される保水性床材を製造できる。
【００５０】
なお、トレー３０を用いる場合も型枠を用いる場合も、本体ブロック１０に曲線状の配管溝部１２を形成する際は、配管溝部１２と相反する形状の押し型部材を用いる。すなわち、略Ｌ型の配管溝部１２であれば、略Ｌ型の押し型部材を用いるようにする。また、配管溝部が三角溝であれば、三角柱状の押し型部材を用いるようにする。
すなわち、押し型部材は、配管溝部と相反する形状に形成されており、単に、押し型部材が切欠部間に架設されたトレー３０または型枠に、材料である生コンクリート１０ａを打設し、固化させるだけで、配管溝部１１，１２が形成された本体ブロック１０を形成できるようになっている。
【００５１】
次に、バルコニーや屋上等の床面Ｆに、以上のような保水性床材を複数配置してなる保水性床材の配置構造について説明する。なお、ここでは、トレー３０内に本体ブロック１０が収納された保水性床材を用いる。また、本体ブロック１０に形成された配管溝部は直線状のものが採用されている。
【００５２】
複数の保水性床材は、図６，図７〜図９に示すように、これら複数の保水性床材の本体ブロック１０に形成された配管溝部１１同士を接続するようにして並設されている。
これによって、複数の保水性床材を並設する同時に、配管溝部１１，１１同士を接続できる。すなわち、複数の配管溝部１１同士を一繋ぎにし、長尺な灌水パイプ２０を配管できる長尺な溝とすることができる。
【００５３】
本実施の形態では、図６に示すように、４枚の保水性床材が、配管溝部１１同士を接続するようにしながら、１列に並設されている。そして、このような４枚の保水性床材からなる列が４列配置されている。
また、４列の保水性床材群にそれぞれ形成された長尺な溝（配管溝部１１…）には、１列ごとに１本の長尺な灌水パイプ２０が収容されている。
また、これら灌水パイプ２０の末端にはキャップ２１が取り付けられている。
さらに、これら４本の灌水パイプ２０…は、ジョイント部材２３，２４を介して接続パイプ２２に接続されている。なお、この接続パイプ２２は、上述のように給水手段に接続されている。
【００５４】
また、複数の保水性床材は、図９に示すように、水勾配のある床面Ｆ上に配置されている。このように水勾配のある床面Ｆに保水性床材を配置すると、勾配方向下方に位置する切欠部３３から余剰水が流れ出ることになる（図９中の矢印Ｙ１）。すなわち、オーバーフローし、トレー３０内は満水になることが無くなる。
なお、本実施の形態においては水勾配のある床面Ｆに保水性床材を配置したが、これに限られるものではなく、水勾配のないフラットな床面に保水性床材を配置しても良いものとする。すなわち、上述のように余剰水は全て排出されるので、本体ブロック１０に水が保持されていたとしても、雑菌や虫の繁殖等、水が過剰である場合に発生しやすい諸問題が発生し難くなるためである。
【００５５】
さらに、トレー３０には、上述のように凹部３７および凸部３８が設けられているため、複数の保水性床材は、隣り合う保水性床材のうち一方の保水性床材の凸部３８を、他方の保水性床材の凹部３７に嵌合しながら床面Ｆに配置されている。
【００５６】
なお、本実施の形態の本体ブロック１０の上面には、図８および図９に示すように、セラミックタイル１３を取り付けたり、芝等の植物１４を植栽したりしてもよい。
【００５７】
セラミックタイル１３は多孔質体であるから、このようなセラミックタイル１３が本体ブロック１０の上面に取り付けられていたとしても、本体ブロック１０に浸透して保持された水は、このセラミックタイル１３を通じて確実に蒸発することとなる。
また、本体ブロック１０の上面にセラミックタイル１３が取り付けられているので、本体ブロック１０の上面を趣のある仕上げにすることができ、外観性に優れる。
【００５８】
また、本体ブロック１０が配置された場所のうち、植物１４が植栽された部分を緑化することができるので、床面Ｆの温度上昇の抑制に貢献できるとともに、外観性も優れる。
なお、本体ブロック１０に植物１４を植栽する際は、植物１４によって灌水パイプ２０を遮蔽することが好ましい。本実施の形態においては、植物１４を配管溝部１１の近傍に植栽することによって灌水パイプ２０を遮蔽している。
【００５９】
さらに、セラミックタイル１３が取り付けられた本体ブロック１０と、植物１４が植栽された本体ブロック１０とを並設することによって、より外観性を向上できるので好ましい。
【００６０】
また、本体ブロック１０の上面には、図示はしないが、この本体ブロック１０と同質の保水タイルを取り付けても良い。すなわち、本実施の形態の保水タイルは、砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリート１０ａを固めたものである。
また、この保水タイルは、上部に人が乗っても容易に破損しない程度の強度を備える厚さに設定されているものとする。
【００６１】
次に、以上のような保水性床材を利用した温度上昇抑制システムについて説明する。なお、ここでは、トレー３０内に本体ブロック１０が収納された保水性床材を用いる。また、本体ブロック１０に形成された配管溝部は直線状のものが採用されている。
【００６２】
この温度上昇抑制システムは、図６に示すように、バルコニーや屋上等の床面Ｆに配置される複数の保水性床材と、これら複数の保水性床材の本体ブロック１０…に形成された配管溝部１１に収納される灌水パイプ２０…と、これら灌水パイプ２０…に水を供給する給水手段とを備えている。
なお、バルコニーや屋上等の床面Ｆは、上述のように水勾配のある床面であり、複数の保水性床材は、上述の配置構造で説明したように配置されているものとし、説明を省略する。
【００６３】
給水手段は、貯水タンク１と給水設備５のうち、少なくとも一方を有するものとし、本実施の形態においては、貯水タンク１と給水設備５の両方を有している。
【００６４】
貯水タンク１は、図６および図７に示すように、タンク本体２と、集水蓋部３と、コントロールボックス４とを備えている。また、この貯水タンク１は、接続パイプ２２を介して灌水パイプ２０…と接続されている。
なお、この貯水タンク１は、日常的に利用するのはもちろんのこと、給水設備５が使用できない場合の代替給水手段として利用しても良い。また、これら貯水タンク１と給水設備５とを組み合わせて利用しても良い。
また、この貯水タンク１には、雨水や、容器等の貯めておいた貯留しておいた水を貯留するためのものであり、屋外に設置されている。
【００６５】
タンク本体２は、夏期において１週間程度の給水が可能な容量に設定されており、本実施の形態では１００リットル程度の水が貯留できるように設定されている。
また、このタンク本体２に貯留される水の容量に応じて、灌水パイプ２０…による灌水可能面積が限定される。
【００６６】
本実施の形態のタンク本体２は、支持脚２ａ…によって複数の保水性床材よりも高い位置に支持されており、水圧によってタンク本体２内の水を灌水パイプ２０…側に送り出すことができるようになっている。なお、水圧が足りない場合には、簡易ポンプを利用して加圧しても良いものとする。簡易ポンプはコントロールボックス４内に備えつけるようにする。
また、タンク本体２には、図７に示すように、このタンク本体２内に水が溜まりすぎないようにオーバーフロー管２ｂが設けられている。
【００６７】
集水蓋部３は、タンク本体２の上部開口部を集水可能に塞ぐ蓋であり、図７に示すように、底面部と、この底面部の周縁部から立ち上がる立ち上がり部とを備えている。
底面部には集水孔３ａが形成されている。また、この集水孔３ａには、タンク本体２内に配置されるとともに塵芥等を水から除去するフィルター部３ｂが装着されている。
立ち上がり部の内側面は、底面部に向かって傾斜しており、雨水等を集水しやすく構成されている。
雨水等の水は、図７中の矢印Ｙ２のように集水蓋部３の立ち上がり部および底面部から集水孔３ａに至り、フィルター部３ｂを通過して、タンク本体２内に貯留される。
【００６８】
コントロールボックス４は、通水管４ａと、電磁弁（図示せず）と、タイマー（図示せず）とを備えている。
通水管４ａは、タンク本体２に貯留された水を通過させて外部に排出する管であり、電磁弁を介して接続パイプ２２と接続されている。
電磁弁は、電磁石の磁力を用いて弁を開閉し、通水管４ａを通過する水を灌水パイプ２０…側に供給したり、水の供給を停止したりするための管路開閉手段である。
タイマーは、電磁弁と組み合わせて用いられることによって電磁弁をタイマー制御するためのものである。
すなわち、電磁弁は、タイマーによって制御されており、設定された時間に、タンク本体２から灌水パイプ２０…側に水を供給できるようになっている。
【００６９】
また、コントロールボックス４周囲において余剰した水をタンク本体２内に戻したい場合は、余剰水戻し管を利用する。すなわち、この余剰水戻し管は、先端がタンク本体２側に設けられて水戻し可能に構成されており、予めコントロールボックス４内に備えられた簡易ポンプに接続されている。
なお、余剰水戻し管の利用は任意であり、本実施の形態のように、簡易ポンプを利用せずにタンク本体２から灌水パイプ２０…側に水を供給する場合は余剰水戻し管を利用せず、簡易ポンプの設置を省略しても良いものとする。
【００７０】
給水設備５は、いわゆる水道設備であり、接続パイプ２２を介して灌水パイプ２０…と接続されている。また、給水設備５と接続パイプ２２との間にはコントロールボックス６が設けられている。
なお、この給水設備５は、日常的に利用するのはもちろんのこと、貯水タンク１が使用できない場合の代替給水手段として利用しても良い。また、これら給水設備５と貯水タンク１とを組み合わせて利用しても良い。
【００７１】
コントロールボックス６は、電磁弁（図示せず）と、タイマー（図示せず）とを備えている。
電磁弁は、電磁石の磁力を用いて弁を開閉し、通水管４ａを通過する水を灌水パイプ２０…側に供給したり、水の供給を停止したりするための管路開閉手段である。
タイマーは、電磁弁と組み合わせて用いられることによって電磁弁をタイマー制御するためのものである。
すなわち、電磁弁は、タイマーによって制御されており、設定された時間に、タンク本体２から灌水パイプ２０…側に水を供給できるようになっている。
【００７２】
本実施の形態の温度上昇抑制システムは、給水手段に接続された電磁弁をタイマー制御により制御し、比較的短時間で水が蒸発するように設定された本体ブロック１０に対し、定期的に灌水している。水の供給源は、貯水タンク１と給水設備５のうち、少なくとも一方を利用している。
なお、電磁弁の制御を行う際に、例えば灌水可能面積のデータや、気温や湿度等の周囲環境データ等を加味した制御を行うことができれば、より好ましい。
【００７３】
以上のような温度上昇抑制システムによれば、バルコニーや屋上等の床面Ｆに配置された複数の保水性床材に対して、定期的にかつ十分な灌水を行うことができる。すなわち、保水性能を有しつつも水が必要以上に溜まらず、比較的短い期間で水を蒸発させることが可能な本体ブロック１０を備える保水性床材によって、例えば夏場や梅雨時における雑菌や虫の繁殖等の問題の発生を防止しつつ、給水手段による定期的かつ十分な灌水を行えることになる。
これによって、蒸発するに際して所定の熱量を周囲から奪う水の性質を利用した床面Ｆ周囲の温度上昇抑制を行いながら、水が溜まることによる諸問題を解決できるので、従来に比して格段に快適な居住環境を形成することが可能となる。
【００７４】
本実施の形態によれば、本体ブロック１０の上部には、配管溝部１１，１２が、この本体ブロック１０の一側面から他側面に向かって形成されているので、この配管溝部１１，１２は、本体ブロック１０の上部において配管溝部１１，１２の延在方向および上方に向かって開放された状態となる。これによって、灌水パイプ２０を、配管溝部１１，１２に対して、上方から下方に差し入れるだけで容易かつ確実に収納することができる。
また、灌水パイプ２０を配管する際は、バルコニーや屋上等の床面Ｆに保水性床材を並べ終わった後に、配管溝部１１，１２に沿って灌水パイプ２０を配置するだけで済む。これによって、灌水パイプ２０を容易に配管することが可能となる。
【００７５】
また、四角溝状に形成された配管溝部１１，１２の幅および深さは、灌水パイプ２０の直径と略等しくなるように設定されているので、灌水パイプ２０を、配管溝部１１，１２に対して、より確実に収納することができる。
【００７６】
また、配管溝部１１，１２は直線状または曲線状に形成されているので、灌水パイプ２０を、この配管溝部１１，１２に沿って直線状または曲線状に配管することができる。すなわち、保水性床材を直線状に配置するだけでなく、例えば曲線状やジグザグ状に配置したとしても、これに対応して灌水パイプ２０を配管することができる。
これによって、保水性床材を直線状以外の形態でバルコニーや屋上等の床面Ｆに配置した場合であっても、灌水パイプ２０を容易に配管することができる。
【００７７】
また、トレー３０内に、本体ブロック１０を収納することができるので、この本体ブロック１０を、単独では強度を維持できない薄さにしたとしても、この本体ブロック１０の強度が低下することを確実に防ぐことができる。これによって、本体ブロック１０の薄型化および保水性床材自体の軽量化に貢献できる。
また、トレー３０の側板部３２に、本体ブロック１０の配管溝部１１，１２に対応する切欠部３３，３３が形成されているので、本体ブロック１０をトレー３０内に収納しても、灌水パイプ２０を確実に収納することができる。
さらに、トレー３０のうち、切欠部３３，３３の下縁よりも下方の水は、トレー３０内に貯留されることになり、切欠部３３の下縁よりも上方の水は、余剰水として、切欠部３３，３３から外部に排出されることになる。これによって、トレー３０内は満水になることが無くなるので、例えば雑菌や虫の繁殖等、トレー３０内の水が過剰である場合に発生しやすい諸問題が発生し難くなる。
【００７８】
複数の保水性床材は、これら複数の保水性床材の本体ブロック１０に形成された配管溝部１１，１２同士を接続するようにして並設されているので、複数の保水性床材を並設する同時に、配管溝部１１，１２同士を接続できる。これによって、複数の配管溝部１１，１２からなる灌水パイプ２０配管の用の溝を、複数の保水性床材の並設方向に沿って長尺なものにすることができる。したがって、バルコニーや屋上等の床面Ｆに保水性床材を並べ終わった後に、前記灌水パイプ２０をより容易に配管することが可能となる。
【００７９】
なお、本実施の形態においては、本体ブロック１０，１０Ａ，１０Ｂとして、粒度３〜２０ｍｍの軽石（乾燥比重が０.４）５０〜６２重量％とポルトランドセメント５０〜３８重量％との配合物に、水４０〜５０重量％を散布して混練した状態の生コンクリート１０ａを固めたものを採用したが、これに限られるものではない。例えば、アスファルトを骨材同士の結合材として用いて固めたものを採用しても良い。すなわち、保水性能および透水性能を有する本体ブロックを備える保水性アスファルト床材となり、舗装材等として用いることができる。
【００８０】
＜第２の実施の形態＞
次に、図面を参照して本発明の第２の実施の形態について説明する。なお、説明の便宜上、上述した第１の実施の形態とは異なる構成部分のみについて説明する。
【００８１】
本実施の形態の保水性床材は、図１２（ｂ）に示すように、保水性能および透水性能を有する本体ブロック１０Ｃを備えており、この本体ブロック１０Ｃの上部には、灌水パイプ２０が収納される配管溝部１１Ｃが、この本体ブロック１０Ｃの一側面から他側面に向かって形成されている。
なお、本実施の形態の配管溝部１１Ｃは、いわゆる四角溝であるとともに直線状に形成されている。
【００８２】
ところで、保水性床材を効率良く製造したり、トレー使用に係るコストを軽減するために、本体ブロック１０Ｃを工場等で量産し、トレーには収納しない状態で使用できるようにしたいという要望がある。そこで、本体ブロック１０Ｃをプレス成型することが考えられる。
【００８３】
以下、本体ブロック１０Ｃの製造方法について説明する。
プレス成型では、金型４０と、図示しないプレス機械とが用いられる。
金型４０は、図１２（ａ）に示すように、本体ブロック１０Ｃの材料１０Ｃａが投入される容器４１と、この容器４１の上部開口部を塞ぐための蓋４２とを備えている。
容器４１は、生産ライン上にて複数用いられる。
【００８４】
また、蓋４２は、前記プレス機械と連結しており、容器４１に対して進退移動可能に設定されている。つまり、蓋４２は、プレス成型を行う際には容器４１に向かって移動し、プレス成型を終えた際には、容器４１から離れる方向に移動する。
【００８５】
さらに、蓋４２は、容器４１の内部に向かって突出する突出部４２ａを有する。この突出部４２ａは、配管溝部１１Ｃを成形するためのものであり、配管溝部１１Ｃと相反する形状に形成されている。本実施の形態の突出部４２ａは、四角溝である直線状の配管溝部１１Ｃを形成する際は四角柱状に形成されている。
【００８６】
金型４０とプレス機械とを用いて保水性床材を製造するには、まず、図１２（ａ）に示すように、容器４１に材料１０Ｃａを投入する。
この時、前記蓋４２に突出部４２ａが形成されていることを考慮し、材料１０Ｃａの投入量を、この材料１０Ｃａ上面が容器４１の上端面よりも若干下方になるように調整する。これにより、容器４１と蓋４２との間からの材料１０Ｃａの余分な漏出を防ぐことができる。
【００８７】
続いて、プレス機械によって蓋４２を容器４１に向かって移動させるとともに、容器４１の上部開口部を塞ぎ、さらにプレス機械による強力な圧力を加えて材料１０Ｃａをプレスする。
【００８８】
その後、図１２（ｂ）に示すように、金型４０を脱型し、本体ブロック１０Ｃを取り出す。金型４０から取り出された本体ブロック１０Ｃには、前記蓋４２の突出部４２ａによって配管溝部１１Ｃが形成された状態となっている。
なお、金型４０を脱型する時期については、本実施の形態においては、所定の存置期間を経て、材料１０Ｃａに、ある程度の強度が出てからとする。ただし、これに限られるものではなく、材料１０Ｃａに含まれる水分量を調節したり、材料１０Ｃａに含まれる素材を変更・追加したりするなどして材料１０Ｃａを早く凝結硬化させ、すぐに金型４０を脱型できるようにしても良い。
【００８９】
本実施の形態によれば、第１の実施の形態と同じ効果を得ることができるとともに、保水性床材を、以上のようなプレス成型によって製造できるため、例えば型枠に材料を投入する、いわゆる注入成型で保水性床材を製造するよりも、効率良く製造できる。
また、金型プレス成型によって強固にプレスされて製造されるため、例えば型枠に材料を投入する、いわゆる注入成型で保水性床材を製造するよりも、強度の高い保水性床材を製造することができる。これによって、トレーなしでも強度を得ることができるので、本体ブロック１０Ｃをトレーに収納しない状態で使用することができ、トレー使用に係るコストを軽減できる。
【００９０】
＜第３の実施の形態＞
次に、図面を参照して本発明の第３の実施の形態について説明する。なお、説明の便宜上、上述した第１および第２の実施の形態とは異なる構成部分のみについて説明する。
【００９１】
ところで、本体ブロックの上部に形成された配管溝部に灌水パイプ２０を収容する場合には、配管溝部は上方に向かって開放されているため、灌水パイプ２０が露出することになる。これを防ぐために、本体ブロックの上面に、この本体ブロックの上面と略等しい面積のセラミックタイル１３等の蓋が取り付けられる。ところが、床面Ｆが広く、使用される保水性床材が多数の場合は、セラミックタイル１３等の蓋を取り付けるのが手間となる場合がある。
【００９２】
そこで、本実施の形態の保水性床材は、図１３に示すように、配管溝部１１Ｄが上部に開放されることを防ぐ蓋を一体形成した状態の本体ブロック１０Ｄを備えたものとなっている。
配管溝部１１Ｄは、本体ブロック１０Ｄの製造時において上部開放部が塞がれており、自身の延在方向両端部のみが開放されている。すなわち、本実施の形態の配管溝部１１Ｄは、本体ブロック１０Ｄを貫通する孔状体（貫通孔）とされている。
また、本体ブロック１０Ｄのうち、配管溝部１１Ｄの上端よりも上方の部分が、この本体ブロック１０Ｄと一体化された蓋の部分である。
【００９３】
本実施の形態の配管溝部１１Ｄに灌水パイプ２０を収容する際は、配管溝部１１Ｄの延在方向両端部のうちの一方から他方に向かって灌水パイプ２０を差し込むようにする。
【００９４】
本体ブロック１０Ｄの製造には、型枠５０が用いられる。この型枠５０は、図１４に示すように、本体ブロック１０Ｄの材料が投入される容器５１と、この容器５１の上部開口部を塞ぐための蓋５２とを備えている。
容器５１は、容器本体５３と、組み合わせ側板部５４と、配管溝部形成部５５とを有している。
【００９５】
容器本体５３は、底板部５３ａと、この底板部５３ａの周縁部のうちの一方を開放させた状態で立ち上がる側板部５３ｂとを備えている。
なお、本実施の形態の底板部５３ａは平面視矩形状に形成されている。また、側板部５３ｂは、平面視矩形状の底板部５３ａの四辺のうち、三辺にわたって設けられている。
【００９６】
組み合わせ側板部５４は、前記容器本体５３と組み合わせて用いられることによって容器５１を構成するものであり、平面視矩形状の底板部５３ａの四辺のうちの一辺側に設けられる。そして、前記容器本体５３の側板部５３ｂとともに容器５１の四周の壁として用いられる。
また、この組み合わせ側板部５４は、図示はしないが、例えばロック手段を有する。すなわち、ロック手段を作動させたり解除したりすることによって、前記容器本体５３に対して着脱自在とされている。
【００９７】
配管溝部形成部５５は、配管溝部１１Ｄを形成するためのものであり、前記組み合わせ側板部５４の内側面に一体的に設けられている。
本実施の形態の配管溝部１１Ｄは四角溝であるとともに直線状のものであるため、配管溝部形成部５５は四角柱状に形成されている。また、この配管溝部形成部５５は、延在方向一端が前記組み合わせ側板部５４の内側面に一体的に設けられており、他端は、前記容器本体５３と組み合わせ側板部５４との組み合わせ時に、この容器本体５３の側板部５３ｂのうち、組み合わせ側板部５４と対向する側板部５３ｂに当接するように構成されている。つまり、配管溝部形成部５５の長さは、組み合わせ側板部５４から、この組み合わせ側板部５４に対向する側板部５３ｂまでの長さと略等しくなるように設定されている。
【００９８】
以下、本体ブロック１０Ｄの製造方法について説明する。
まず、組み合わせ側板部５４を、図示しないロック手段によって容器本体５３に取り付け、容器５１を形成する。
この時、配管溝部形成部５５は、組み合わせ側板部５４と、この組み合わせ側板部５４に対向する側板部５３ｂとの間に架け渡された状態となっている。
続いて、容器５１内に材料を投入する。投入後、蓋５２によって容器５１の上部開口部を塞ぎ、材料を凝結硬化させる。
なお、材料に含まれる水分量を調節したり、材料に含まれる素材を変更・追加したりするなどして材料を早く凝結硬化させ、すぐに型枠５０を脱型できるようにしても良い。
【００９９】
材料が凝結硬化したら、蓋５２を取り外す。
また、組み合わせ側板部５４を容器本体５３から取り外せるように、前記ロック手段を解除する。そして、前記配管溝部形成部５５を引く抜くようにして、組み合わせ側板部５４を容器本体５３から取り外す。
【０１００】
続いて、容器本体５３を脱型し、本体ブロック１０Ｄを取り出す。容器本体５３から取り出された本体ブロック１０Ｄには、前記配管溝部形成部５５によって配管溝部１１Ｄが形成された状態となっている。
【０１０１】
なお、本実施の形態の本体ブロック１０Ｄをプレス成型する場合には、型枠５０を金属製とし、組み合わせ側板部５４と容器本体５３とのロック手段を、より強固なものとする。また、配管溝部形成部５５の前記組み合わせ側板部５４への取付強度も、より強固なものとする。
【０１０２】
本実施の形態によれば、第１の実施の形態と同じ効果を得ることができるとともに、灌水パイプ２０の露出を防ぐことができる。これによって、外観性の向上を図ることができるとともに、物品の落下等による灌水パイプ２０の破損を確実に防ぐことができるので、好ましい。
【符号の説明】
【０１０３】
１０  本体ブロック
１１  配管溝部
１２  配管溝部
２０  灌水パイプ
３０  トレー
３３  切欠部
【図１】
2012246689.tif 000003
【図２】
2012246689.tif 000004
【図３】
2012246689.tif 000005
【図４】
2012246689.tif 000006
【図５】
2012246689.tif 000007
【図６】
2012246689.tif 000008
【図７】
2012246689.tif 000009
【図８】
2012246689.tif 000010
【図９】
2012246689.tif 000011
【図１０】
2012246689.tif 000012
【図１１】
2012246689.tif 000013
【図１２】
2012246689.tif 000014
【図１３】
2012246689.tif 000015
【図１４】
2012246689.tif 000016